(57)【特許請求の範囲】
【請求項１】
原稿台に載置された原稿の画像データを読み取る読取手段と、
外部の機器と通信する通信手段と、
前記通信手段を介して外部から送信される起動指示を受け付けて前記読取手段を起動させる起動手段と、
画面を表示する表示手段と、
外部からの前記起動指示を待つ第１の画面を表示させる表示指示を受け付ける表示指示受付手段と、
前記表示指示を受け付けて前記表示手段に第１の画面を表示させる第１の画面表示手段と、
前記第１の画面の表示中に前記起動手段において前記起動指示を受け付け可能にする起動指示受付手段と、
前記第１の画面の表示中は画面遷移を伴う処理であって且つ前記画像データの読み取り処理と関係しない処理を禁止にする禁止手段と、
を備えた画像読取装置。
【請求項２】
前記表示手段に原稿の取り除きを促す第２の画面を表示させる第２の画面表示手段をさらに備え、
前記第２の画面表示手段は、
前記読取手段による画像データの読み取り処理後に前記表示手段に前記第２の画面を表示させ、
前記禁止手段は、
前記第２の画面の表示中は画面遷移を伴う処理であって且つ前記画像データの読み取り処理と関係しない処理を禁止にする
請求項１に記載の画像読取装置。
【請求項３】
前記表示手段に原稿の取り除きを促す第２の画面を表示させる第２の画面表示手段と、
前記読取手段による画像データの読み取り処理後に前記表示手段に前記第２の画面を表示させるか前記第１の画面を再表示させるかのいずれかを設定する画面設定手段と、
をさらに備えた請求項１に記載の画像読取装置。
【請求項４】
前記第1の画面の表示中のみに前記起動手段において前記起動指示を受け付け可能にするか前記第１の画面の非表示中も前記起動手段において前記起動指示を受け付け可能にするかのいずれかを設定する起動指示受付設定手段
を備えた請求項１〜３のいずれかに記載の画像読取装置。
【請求項５】
前記起動指示の送信元を設定する送信元設定手段を備え、
前記起動指示受付手段は、
前記送信元設定手段によって設定された送信元からの前記起動指示のみを受け付ける請求項１〜４のいずれかに記載の画像読取装置。
【請求項６】
原稿台に載置された原稿の画像データを読み取る読取手段と、
外部の機器と通信する通信手段と、
画面を表示する表示手段と、
を備えた画像読取装置を、
前記通信手段を介して外部から送信される起動指示を受け付けて前記読取手段を起動させる起動手段と、
外部からの前記起動指示を待つ第１の画面を表示させる表示指示を受け付ける表示指示受付手段と、
前記表示指示を受け付けて前記表示手段に第１の画面を表示させる第１の画面表示手段と、
前記第１の画面の表示中に前記起動手段において前記起動指示を受け付け可能にする起動指示受付手段と、
前記第１の画面の表示中は画面遷移を伴う処理であって且つ前記画像データの読み取り処理と関係しない処理を禁止にする禁止手段
として機能させる画像読取制御プログラム。
【発明の詳細な説明】
【技術分野】
【０００１】
本発明は、画像読取装置と画像読取制御プログラムに関する。
【背景技術】
【０００２】
多機能プリンタ（Multifunction Printer、以下「ＭＦＰ」という）にはプルスキャン（リモートスキャンともいう）機能を備えるものがある。ＭＦＰを使用してプルスキャンを行うユーザは、ＭＦＰが備える自動送り装置又は原稿台に原稿を置き、ＭＦＰの前からＭＦＰに接続されるリモート端末まで移動し、そのリモート端末を操作してＭＦＰを起動して画像データの読み取り処理を開始する。またＭＦＰを使用してファクシミリ送信などを行うユーザは、ＭＦＰが備える自動送り装置又は原稿台に原稿を置き、ＭＦＰに付設された操作ボタンを直接操作してＭＦＰを起動して画像データの読み取り処理を開始する。
【０００３】
ＭＦＰでは、ユーザＡによる原稿ａのプルスキャンと、ユーザＢによる原稿ｂのファクシミリ送信と、がほぼ同時期に発生することがあり得る。こうした状況で、仮にユーザＡがＭＦＰの自動送り装置に原稿ａを置いてＭＦＰからリモート端末まで移動している間に、ユーザＢが自動送り装置上の原稿ａに気付かず原稿ｂを原稿ａの上に置いてＭＦＰのファクシミリ機能を起動させると、原稿ｂと共に原稿ａも外部に送信されてしまう。原稿ａが対外秘の書類であると重大な問題になりかねない。また上記例で仮にユーザＢが自動送り装置に原稿ｂを置いときに、ユーザＡがリモート端末でＭＦＰのプルスキャン機能を起動させると、原稿ｂがプルスキャンされてしまう。
【０００４】
特許文献１、２はネットワークに接続されたＭＦＰを用いたプルスキャン機能に関する技術を開示している。
【０００５】
特許文献１は、プッシュスキャンの操作を開始した後は処理が終了するまでプルスキャンできないように排他制御する技術を開示している。この技術によれば、プルスキャンが他のサービスの原稿をスキャンすることは防止できるが、上述したようなプルスキャンで置いた原稿が他のサービス（ファクシミリ送信など）で誤使用されることは防止できない。
【０００６】
特許文献２は、ＭＦＰをオンライン指示によってロック状態にし、認証によってロック状態を解除する技術を開示している。この技術はロック状態でプルスキャンを実行するようにしている。しかしこの技術は認証機能を備えたＭＦＰでしか利用できず、またロック状態を解除するような機能、例えば節電機能や割り込みジョブなどの機能によって、原稿の誤使用を防止できない状況が起こり得る。
【先行技術文献】
【特許文献】
【０００７】
【特許文献１】特開２００４−２１５００９号公報
【特許文献２】特開２００８−１９３５２８号公報
【発明の概要】
【発明が解決しようとする課題】
【０００８】
本発明は、プルスキャンにおける原稿の誤使用を簡易に且つ効果的に防ぐことを目的とする。
【課題を解決するための手段】
【０００９】
上述した目的を達成するため、請求項１の発明は、原稿台に載置された原稿の画像データを読み取る読取手段と、外部の機器と通信する通信手段と、前記通信手段を介して外部から送信される起動指示を受け付けて前記読取手段を起動させる起動手段と、画面を表示する表示手段と、外部からの前記起動指示を待つ第１の画面を表示させる表示指示を受け付ける表示指示受付手段と、前記表示指示を受け付けて前記表示手段に第１の画面を表示させる第１の画面表示手段と、前記第１の画面の表示中に前記起動手段において前記起動指示を受け付け可能にする起動指示受付手段と、前記第１の画面の表示中は画面遷移を伴う処理であって且つ前記画像データの読み取り処理と関係しない処理を禁止にする禁止手段とを備える。
【００１０】
また、請求項２の発明は、請求項１の発明において、前記表示手段に原稿の取り除きを促す第２の画面を表示させる第２の画面表示手段をさらに備え、前記第２の画面表示手段は、前記読取手段による画像データの読み取り処理後に前記第２の画面を表示させ、前記禁止手段は、前記第２の画面の表示中は画面遷移を伴う処理であって且つ前記画像データの読み取り処理と関係しない処理を禁止にする。
【００１１】
また、請求項３の発明は、請求項１の発明において、前記表示手段に原稿の取り除きを促す第２の画面を表示させる第２の画面表示手段と、前記読取手段による画像データの読み取り処理後に前記表示手段に前記第２の画面を表示させるか前記第１の画面を再表示させるかのいずれかを設定する画面設定手段をさらに備える。
【００１２】
また、請求項４の発明は、請求項１〜３のいずれかの発明において、前記第１の画面の表示中のみに前記起動手段において前記起動指示を受け付け可能にするか前記第１の画面の非表示中も前記起動手段において前記起動指示を受け付け可能にするかのいずれかを設定する起動指示受付設定手段を備える。
【００１４】
また、請求項５の発明は、請求項１〜４のいずれかの発明において、前記起動指示の送信元を設定する送信元設定手段を備え、前記起動指示受付手段は、前記送信元設定手段によって設定された送信元からの前記起動指示のみを受け付ける。
【００１５】
また、請求項６の発明は、原稿台に載置された原稿の画像データを読み取る読取手段と、外部の機器と通信する通信手段と、前記通信手段を介して外部から送信される起動指示を受け付けて前記読取手段を起動させる起動手段と、画面を表示する表示手段と、を備えた画像読取装置を、外部からの起動指示を待つ第１の画面を表示させる表示指示を受け付ける表示指示受付手段と、前記表示指示を受け付けて前記表示手段に第１の画面を表示させる第１の画面表示手段と、前記第１の画面の表示中に前記起動手段において前記起動指示を受け付け可能にする起動指示受付手段と、前記第１の画面の表示中は画面遷移を伴う処理であって且つ前記画像データの読み取り処理と関係しない処理を禁止にする禁止手段として機能させる。
【発明の効果】
【００１６】
請求項１の発明によれば、プルスキャンにおける原稿の誤使用を簡易に且つ効果的に防止できる。
【００１７】
請求項２の発明によれば、第１の発明よりも更にプルスキャンにおける原稿の誤使用を効果的に防止できる。
【００１８】
請求項３の発明によれば、同一原稿を複数回連続してプルスキャンする際に、二回目以降の各スキャン処理の前に画面操作をやり直す必要がなくなる。
【００１９】
請求項４の発明によれば、プルスキャンの起動条件をユーザの要望に応じて変更することが可能になり、プルスキャン処理の自由度が向上する。
【００２１】
請求項５の発明によれば、安全性を向上させることが可能になる。
【００２２】
請求項６の発明によれば、プルスキャンにおける原稿の誤使用を簡易に且つ効果的に防止できる。
【図面の簡単な説明】
【００２３】
【図１】プルスキャンシステムの構成図である。
【図２】ＭＦＰの構成を示すブロック図である。
【図３】本実施例の機能をブロック化して示すブロック図である。
【図４】プルスキャン待ち受け画面を示す画面構成図である。
【図５】原稿取り除き確認画面を示す画面構成図である。
【図６】本実施例で行う処理を示すフローチャートである。
【図７】プルスキャン待ち受け処理を示すフローチャートである。
【図８】原稿取り除き確認処理を示すフローチャートである。
【図９】画面遷移禁止処理を示すフローチャートである。
【発明を実施するための形態】
【００２４】
以下、本発明に係る画像読取装置、画像読取制御プログラムの一実施の形態について、添付図面を参照して詳細に説明する。
【００２５】
［プルスキャンシステムの構成］
図１はプルスキャンシステムの構成図である。
【００２６】
プルスキャンシステム１０は、通信回線２０と通信回線２０に接続されるＭＦＰ３０及び１以上のパーソナルコンピュータ（以下「ＰＣ」という）４０を備える。ＭＦＰ３０と各ＰＣ４０は通信回線２０を介して互いに通信可能であり、各ＰＣ４０同士も通信回線２０を介して互いに通信可能である。通信回線２０は電話回線やインターネット回線に接続されている。
【００２７】
［ＭＦＰの構成］
図２はＭＦＰの構成を示すブロック図である。
【００２８】
ＭＦＰ３０は、信号線３０２を介して接続された画像読取部３０４と画像処理部３０６と蓄積部３０８とモード制御部３１０と命令文処理部３１２と通信部３１４と操作部３１６を備える。
【００２９】
画像読取部３０４は原稿台に載置された原稿を走査する。画像処理部３０６は画像読取部３０４によって走査された原稿の画像を画像データに加工する。蓄積部３０８は画像処理部３０６によって変換された画像データを蓄積する。
【００３０】
モード制御部３１０はモード変更指令に応じてＭＦＰ３０の動作モードを制御する。本実施例ではＭＦＰ３０に少なくとも「通常モード」と「プルスキャン待ち受けモード」と「原稿取り除き確認モード」という動作モードが設定されるものとする。
【００３１】
命令文処理部３１２はＭＦＰ３０全体を統括して制御する。例えば、命令文処理部３１２は、後述する通信部３１４や操作部３１６を介して受け取った外部からの各種指示に応じた処理を行うために、ＭＦＰ３０の各部を制御する。
【００３２】
通信部３１４は外部の機器との間で情報を伝達し合うためのインターフェイスであり、図１で示される通信回線２０に接続される端末（ここではＰＣ４０）と通信する。操作部３１６はユーザとの間で情報を伝達し合うためのマンマシンインターフェイスであり、例えばＭＦＰ３０の情報をユーザに提供するための画面とユーザがＭＦＰ３０に情報を入力するためのボタン等を備える。具体的にいえば、タッチパネルやディスプレイや操作ボタンなどで構成される。
【００３３】
［ＭＦＰの機能］
図３は本実施例の機能をブロック化して示すブロック図である。図４はプルスキャン待ち受け画面を示す画面構成図である。図５は原稿取り除き確認画面を示す画面構成図である。
【００３４】
本実施例において、プルスキャンに関するＭＦＰ３０の基本的な機能は、図３に示すような読取部３３２と通信部３３４と起動部３３６と表示部３３８とプルスキャン待ち受け画面表示部３４０と原稿取り除き確認画面表示部３４２と起動指示受付部３４４と禁止部３４６によって実現される。以下の各機能は図２に示す各構成によって実現されるが、他の構成で実現することも可能である。
【００３５】
読取部３３２は原稿台に載置された原稿の画像データを読み取る。通信部３３４は外部の機器と通信する。起動部３３６は通信部３３４を介して外部から送信される起動指示を受け付けて読取部３３２を起動させる。表示部３３８は画面を表示する。プルスキャン待ち受け画面表示部３４０は読取部３３２の起動前に表示部３３８に図４で示されるプルスキャン待ち受け画面を表示させる。原稿取り除き確認画面表示部３４２は読取部３３２による画像データの読み取り処理後に表示部３３８に図５で示される原稿取り除き確認画面を表示させる。起動指示受付部３４４はプルスキャン待ち受け画面の表示中に起動部３３６において起動指示を受け付け可能にする。禁止部３４６はプルスキャン待ち受け画面の表示中は画面遷移を伴う処理であって且つ画像データの読み取り処理と関係しない処理を禁止にする。この禁止部３４６を、プルスキャン待ち受け画面の表示中と原稿取り除き確認画面の表示中は画面遷移を伴う処理であって且つ画像データの読み取り処理と関係しない処理を禁止にするようにすることも可能である。
【００３６】
また付加的な機能は、図３に示すような画面設定部３４８と起動指示受付設定部３５０と原稿取り除き確認画面表示設定部３５２と送信元設定部３５４によって実現される。
【００３７】
画面設定部３４８は画像データの読み取り処理後に表示部３３８に原稿取り除き確認画面を表示させるかプルスキャン待ち受け画面を再表示させるかのいずれかを設定する。起動指示受付設定部３５０はプルスキャン待ち受け画面の表示中のみに起動部３３６において起動指示を受け付け可能にするかプルスキャン待ち受け画面の非表示中も起動部３３６において起動指示を受け付け可能にするかのいずれかを設定する。起動指示受付設定部３５０がプルスキャン待ち受け画面の非表示中も起動指示を受付可能にする設定の場合は、プルスキャン待ち受け画面表示部３４０と原稿取り除き確認画面表示部３４２は表示を行わない。原稿取り除き確認画面表示設定部３５２は原稿取り除き確認画面を表示するか非表示するかのいずれかを設定する。送信元設定部３５４は起動指示の送信元を設定する。このとき起動指示受付部３４４は送信元設定部３５４によって設定された送信元からの起動指示のみを受け付ける。
【００３８】
［各処理フロー］
図６は本実施例で行う処理を示すフローチャートである。  
図２、図６を参照して本実施例で行う基本的な処理を説明する。
【００３９】
プルスキャンを行うユーザは、原稿をＭＦＰ３０の原稿台にセットし、操作部３１６にプルスキャン待ち受け画面を表示させる画面変更操作を行う（ステップＳ６０１）。するとＭＦＰ３０では、図７に示すプルスキャン待ち受け処理が行われる（ステップＳ６０２）。プルスキャン待ち受け処理については後述する。このプルスキャン待ち受け処理の結果、モード制御部３１０の動作モードはプルスキャン待ち受けモードに遷移し、また操作部３１６の画面はプルスキャン待ち受け画面に遷移する。
【００４０】
ユーザはＭＦＰ３０の設置場所からリモート端末すなわち図１に示すＰＣ４０の設置場所に移動し、ＰＣ４０を用いてＭＦＰ３０を指定してプルスキャンの起動指示をだす。すると命令文処理部３１２は通信回線２０及び通信部３１４を介してプルスキャンの起動指示を受け取る（ステップＳ６０３）。命令文処理部３１２はモード制御部３１０から動作モード情報を取得し、そのモード情報とＭＦＰ３０の状態および起動指示内容に応じてプルスキャン実行可能か否かを判断する（ステップＳ６０４）。
【００４１】
動作モードがプルスキャン待ち受けモードであってＭＦＰ３０の状態および起動指示内容が正常である場合（ステップＳ６０４の判断ＹＥＳ）、命令文処理部３１２はプルスキャン可能と判断し、プルスキャンの起動指示を受け付けてプルスキャンジョブを開始する（ステップＳ６０５）。画像読取部３０４は原稿の画像を読み取り、画像処理部３０６は画像読取部３０４で読み取られた画像を画像データに加工し、蓄積部３０８は画像処理部３０６で加工された画像データを格納する。画像データは通信部３１４及び通信回線２０を介してＰＣ４０に送られる。
【００４２】
プルスキャンジョブが終了すると、ＭＦＰ３０では、図８に示す原稿取り除き確認処理が行われる（ステップＳ６０６）。原稿取り除き確認処理については後述する。この原稿取り除き確認処理の結果、モード制御部３１０の動作モードは原稿取り除き確認モードに遷移し、また操作部３１６の画面は原稿取り除き確認画面に遷移する。
【００４３】
プルスキャンを実行したユーザはＭＦＰ３０の原稿台から原稿を取り除き、操作部３１６の原稿取り除き確認画面を閉じる画面変更操作を行う（ステップＳ６０７）。すると、命令文処理部３１２はモード制御部３１０にモード遷移の指示をだし、モード制御部３１０はこの指示に応じて通常モード又は他のサービスモードに遷移する（ステップＳ６０８）。また操作部３１６の画面は初期画面又は他のサービス画面に遷移する（ステップＳ６０９）。
【００４４】
一方、ステップＳ６０４のプルスキャン実行可能か否かの判断で、ＭＦＰ３０の状態または起動指示内容が正常でない場合（ステップＳ６０４の判断ＮＯ）、命令文処理部３１２はプルスキャン不可能と判断し、プルスキャンの起動指示を受け付けず、通信部３１４及び通信回線２０を介してＰＣ４０にエラー通知を送る（ステップＳ６１０）。そして原稿取り除き確認処理に移行して操作部３１６の画面が原稿取り除き確認画面に遷移する（ステップＳ６０６）。
【００４５】
図６には示されていないが、本実施例では、プルスキャンジョブがユーザによりキャンセルされたり異常終了した場合に、操作部３１６の画面はジョブ中止を示す画面に遷移した後に、原稿取り除き確認画面に遷移する。
【００４６】
なお図６は、ＭＦＰ３０が、ステップＳ６０２でプルスキャン待ち受けモードにされた後にステップＳ６０３でプルスキャンの起動指示を受け取る処理を示している。しかしＭＦＰ３０がプルスキャン待ち受けモードでないときにプルスキャンの起動指示を受け取る場合もある。例えば、何らかの原因で動作モードがプルスキャン待ち受けモードに遷移しなかったり、ステップ６０１の画面変更操作がなされなかった等の場合は、ＭＦＰ３０の動作モードはプルスキャン待ち受けモードになっていない。ＭＦＰ３０は、プルスキャン待ち受けモードでないときにプルスキャンの起動指示を受け取った場合に、通信部３１４及び通信回線２０を介してＰＣ４０にエラー通知を送り、処理を終了する。
【００４７】
図６に示すステップＳ６０２のプルスキャン待ち受け処理について図７を用いて説明する。
【００４８】
図７はプルスキャン待ち受け処理を示すフローチャートである。  
ユーザが操作部３１６においてプルスキャン待ち受け画面の表示操作を行うと、命令文処理部３１２はプルスキャン待ち受け画面の表示指示を確認する（ステップＳ７０１）。すると命令文処理部３１２はモード制御部３１０にモード遷移の指示をだし、モード制御部３１０はこの指示に応じて通常モードからプルスキャン待ち受けモードに遷移する（ステップＳ７０２）。また操作部３１６の画面は、図４に示すようなプルスキャン待ち受け画面に遷移する（ステップＳ７０３）。このプルスキャン待ち受け画面には、ＭＳＰ３０の他のユーザに対するメッセージであって、ファクシミリなど原稿を変更する処理を行わないように注意を促すメッセージが表示される。
【００４９】
図６に示すステップＳ６０６の原稿取り除き確認処理について図８を用いて説明する。
【００５０】
図８は原稿取り除き確認処理を示すフローチャートである。  
プルスキャンジョブが終了すると、命令文処理部３１２はモード制御部３１０にモード遷移の指示をだし、モード制御部３１０はこの指示に応じてプルスキャン待ち受けモードから原稿取り除き確認モードに遷移する（ステップＳ８０１）。
【００５１】
また命令文処理部３１２は操作部３１６に画面を原稿取り除き確認画面へ遷移させるよう指示をだす。操作部３１６の画面は、図５に示すような原稿取り除き確認画面に遷移する（ステップＳ８０２）。この原稿取り除き確認画面には、ＭＳＰ３０のプルスキャンを実行したユーザおよび他のユーザに対するメッセージであって、原稿台に原稿が残っていることを示してその原稿を誤使用しないように注意を促すメッセージが表示される。
【００５２】
図６には示されていないが、本実施例では、プルスキャン待ち受け画面の表示中は、プルスキャンに関連する画面遷移を除く画面遷移、及びその画面遷移を伴う処理が行われないように画面遷移禁止処理が行われる。この画面遷移を伴う処理としては、例えば画面リセットタイマー・節電・割り込みジョブ・リモート操作・他のサービス画面へのショートカットなどの処理などがある。画面遷移禁止処理について図９を用いて説明する。
【００５３】
図９は画面遷移禁止処理を示すフローチャートである。図９は一例として画面リセットタイマーを禁止するか否かのケースを示す。なお画面リセットタイマーとは、予め設定された時間が経過すると操作部３１６の画面を初期画面に遷移させる処理である。
【００５４】
命令文処理部３１２は画面リセットタイマーの通知を検出すると（ステップＳ９０１）、プルスキャン待ち受け画面の表示中か否か、すなわちモード制御部３１０の動作モードがプルスキャン待ち受けモードであるか否かを判断する（ステップＳ９０２）。
【００５５】
プルスキャン待ち受け画面の表示中、すなわちプルスキャン待ち受けモードである場合、処理は終了する（ステップＳ９０２の判断ＹＥＳ）。このとき操作部３１６の画面はプルスキャン待ち受け画面を維持する。
【００５６】
一方、プルスキャン待ち受け画面の非表示中、すなわちプルスキャン待ち受けモード以外である場合、命令文処理部３１２はモード制御部３１０にモード遷移の指示をだし、モード制御部３１０はこの指示に応じて通常モードに遷移する（ステップＳ９０２の判断ＮＯ、ステップＳ９０３）。また操作部３１６の画面は初期画面に遷移する（ステップＳ９０４）。
【００５７】
以上の実施例によれば、ユーザがＭＦＰから原稿を取り除くまでＭＦＰには図４に示すプルスキャン待ち受け画面又は図５に示す原稿取り除き確認画面が表示されるので、他のユーザはＭＦＰにプルスキャンの原稿があることを認識できる。このため原稿の誤使用がなくなる。
【００５８】
さらにプルスキャン待ち受け画面の表示中は、プルスキャンに関連する画面遷移を除く画面遷移、及びその画面遷移を伴う処理が行われないように画面遷移禁止処理が行われるため、プルスキャン処理が終了するまでプルスキャン待ち受け画面を確実に表示し続けることができる。
【００５９】
［変形例］
以下では、上述した実施例の変形例をまとめて説明する。
【００６０】
原稿取り除き確認画面の表示判断に関しては、原稿取り除き確認フラグを用いることも可能である。プルスキャン待ち受け画面の表示操作に応じて原稿取り除き確認フラグが立てられる。画面遷移を伴う処理が発生したときにフラグが立てられている場合は、先ず原稿取り除き確認画面に画面遷移させる。原稿取り除き確認画面が閉じられたならばフラグをおろし、発生した処理の画面に遷移させればよい。
【００６１】
上述した実施例では、プルスキャン待ち受け画面の表示中にプルスキャンに関連する画面遷移を除く画面遷移、及びその画面遷移を伴う処理を禁止するようにしている。しかし原稿取り除き確認画面の表示中にプルスキャンに関連する画面遷移を除く画面遷移、及びその画面遷移を伴う処理を禁止するようにすることも可能である。
【００６２】
また上述した実施例では、プルスキャンジョブ終了後に自動的に原稿取り除き確認画面が表示されるようにしている。ところでプルスキャンの実施態様としては、プルスキャンした原稿をＰＣの画面で確認した後にＰＣにおいて解像度などの読込設定を変更して再度プルスキャンを実行することがある。こうした実施態様の場合、上述した実施例のようにプルスキャンジョブ終了後に自動的に原稿取り除き確認画面が表示されるようにすると、ユーザはプルスキャンを行う毎にＭＦＰの設置場所に移動してプルスキャン待ち受け画面の表示操作を行う必要があり煩わしい。そこでプルスキャン待ち受け画面の表示操作の際に、プルスキャンジョブ終了後に原稿取り除き確認画面でなくプルスキャン待ち受け画面が再表示されるよう設定可能にしてもよい。こうした設定は、例えば図２に示す操作部で行えるようにすればよい。
【００６３】
また上述した実施例では、プルスキャン待ち受け画面の表示中にのみプルスキャンを実行可能にしている。しかしプルスキャン待ち受け画面の表示中にのみプルスキャンを実行可能にするか、プルスキャン待ち受け画面の非表示中にもプルスキャンを実行可能にするか、を選択可能にしてもよい。こうした選択は、例えば図２に示す操作部で行えるようにすればよい。
【００６４】
上述した実施例では、プルスキャンジョブ終了後に自動的に原稿取り除き確認画面が表示されるようにしている。しかしプルスキャンジョブ終了後に原稿取り除き確認画面を表示するか表示しないかを選択可能にしてもよい。こうした選択は、例えば図２に示す操作部で行えるようにすればよい。
【００６５】
上述した実施例に加えて、プルスキャン待ち受け画面の表示前に、起動指示をだすＰＣを設定することも可能である。例えば、ユーザは、対象となるＰＣをリストにしてＭＦＰに登録しておき、プルスキャン待ち受け画面の表示操作時にリストから対象ＰＣを指定する。ユーザがＰＣからプルスキャン起動指示をだすと、ＭＦＰは起動指示をだしたＰＣのアドレスと指定されたＰＣのアドレスとを照合し、両者が合致した場合にプルスキャン実行可能か否かを判断する（図６のステップＳ６０４）。なお対象となるＰＣをリストにＭＦＰに登録しておくのではなく、その都度、ユーザがＰＣのアドレスを入力することも可能であり、ネットワークに接続された近隣のＰＣをブラウジングして選択させることも可能である。
【００６６】
なお、本発明は、図３に示す各機能をプログラムを用いて実行させることも可能である。ＭＦＰにインストールするプログラムを記録媒体（ＣＤ−ＲＯＭ、ＤＶＤ−ＲＯＭ、ＵＳＢメモリ等）に記録することも可能である。
【産業上の利用可能性】
【００６７】
本発明は、ＭＦＰに限らずプルスキャン可能な画像読取装置、及び画像読取制御プログラムに適用できる。
【符号の説明】
【００６８】
３０  …ＭＦＰ
３０４…画像読取部
３０６…画像処理部
３０８…蓄積部
３１０…モード制御部
３１２…命令文処理部
３１４…通信部
３１６…操作部
【図１】
0005737504.tif 000002
【図２】
0005737504.tif 000003
【図３】
0005737504.tif 000004
【図４】
0005737504.tif 000005
【図５】
0005737504.tif 000006
【図６】
0005737504.tif 000007
【図７】
0005737504.tif 000008
【図８】
0005737504.tif 000009
【図９】
0005737504.tif 000010